(57)【要約】      （修正有）【課題】それを必要とする電子機器や手持ち器具に設置され、作製と使用が容易である効果が得られる静電糸装置構造を提供する。【解決手段】底層１と、底層の一面に堆積され、底層に対向する一面が粘着面であり、一つ以上の貫通孔部２２がある被覆層２と、上記底層と被覆層との間に設置され、横方向に貫通孔部に設置される複数の静電糸３と、が含有される。底層１は、導電フィルムやアルミ箔テープとすることができる。【選択図】図１
0003129631.tif 000002
【実用新案登録請求の範囲】
【請求項１】
少なくとも底層と、
上記底層の一面に堆積され、底層に対向する一面が粘着面であり、一つ以上の貫通孔部がある被覆層と、
上記底層と被覆層との間に設置され、横方向に貫通孔部に設置される複数の静電糸と、
が含有される、
ことを特徴とする静電糸装置構造。
【請求項２】
当該底層が導電フィルムであることを特徴とする請求項１に記載の静電糸装置構造。
【請求項３】
当該底層がアルミ箔テープであることを特徴とする請求項１に記載の静電糸装置構造。
【考案の詳細な説明】
【技術分野】
【０００１】
本考案は、静電糸装置構造に関し、特に、容易に、それを必要とする電子機器や手持ち器具に設置され、また、作製と使用が容易であるものに関する。
【背景技術】
【０００２】
一般の、従来のものは、例えば、中華民国専利公報公告第２５８４１１号「静電ブラシの改良構造」であり、当該静電ブラシは、第１の導電プラスチック層とアルミ箔層及び第２の導電プラスチック層から構成され、当該第１の導電プラスチック層は導電可能のプラスチックシートであり、また、当該第１の導電プラスチック層の底縁がジグザグ状であるため、素早く、尖端放電のための静電を集中でき、当該アルミ箔層はアルミ箔シートであり、上記第１の導電プラスチック層の上表面に粘着され、当該第２の導電プラスチック層は導電可能のプラスチックシートであり、上記アルミ箔層の上表面に粘着され、これにより、当該第２の導電プラスチック層と上記第１の導電プラスチック層により挟まれた当該アルミ箔層は、剛性強度が向上する。これにより、当該静電ブラシが、一般の、例えば、複写機やファクシミリ及びプリンタ等の事務機の紙の出口に設置されることにより、静電を事務機のハウジングにガイドできる。
【０００３】
上記従来の静電ブラシは、一般の事務機の紙の出口に設置され、第１の導電プラスチック層の底縁に位置するジグザグ状構造で、事務機の紙と接触することにより、ディスチャージして、静電を事務機のハウジングにガイドするが、当該第１の導電プラスチック層の材質が比較的に硬いため、第１の導電プラスチック層の底縁に位置するジグザグ状構造で、事務機の紙と接触してディスチャージする時、紙を傷付く恐れがあり、また、当該比較的に硬い第１の導電プラスチック層が、配線板や比較的に精密な素子に設置されて静電のディスチャージを行うことに適用できないため、上記の従来の「静電ブラシの改良構造」は、実用的なものとは言えない。
【特許文献１】中華民国専利公報公告第２５８４１１号
【考案の開示】
【考案が解決しようとする課題】
【０００４】
本考案の主な目的は、複数の、横方向に被覆層の貫通孔部に設置された静電糸により、容易に、それを必要とする電子機器や手持ち器具に設置され、また、作製と使用が容易である効果が得られる。
【課題を解決するための手段】
【０００５】
請求項１の考案は、少なくとも、底層と、上記底層の一面に堆積され、底層に対向する一面が粘着面であり、一つ以上の貫通孔部がある被覆層と、上記底層と被覆層との間に設置され、横方向に貫通孔部に設置される複数の静電糸と、が含有されることを特徴とする静電糸装置構造である。
【０００６】
請求項２の考案は、当該底層が導電フィルム（ＰＳ）であることを特徴とする請求項１に記載の静電糸装置構造である。
【０００７】
請求項３の考案は、当該底層がアルミ箔テープであることを特徴とする請求項１に記載の静電糸装置構造である。
【考案を実施するための最良の形態】
【０００８】
図１と２は、それぞれ、本考案の立体外観概念図と本考案の立体分解概念図である。図のように、本考案は、静電糸装置構造であり、底層１と被覆層２と複数の静電糸３とから構成され、当該静電糸３は、それを必要とする電子機器や手持ち器具に設置されると、作製と使用が容易である効果が得られる。
【０００９】
上記の底層１は導電フィルムやアルミ箔テープである。
【００１０】
当該被覆層２は、上記の底層１の一面に堆積され、上記の底層１に対向する一面が粘着面２１であるテープであり、当該粘着面２１、また、上に、一つ以上の貫通孔部２２があり、また、隣り合う貫通孔部同士の間に連接部２３がある。
【００１１】
静電糸３は、横方向に位置するように、上記底層１と被覆層２との間に設置される。上記構造により、新規の静電糸装置構造が構成される。
【００１２】
図３〜９は、それぞれ、本考案の被覆層の成形状態概念図と本考案の被覆層と静電糸とを貼り付ける時の概念図、本考案の被覆層と静電糸とを貼り付けて裁断する時の概念図、本考案の被覆層と底層とを貼り付ける時の概念図、本考案の裁断状態概念図、本考案の裁断した後の半成品の概念図及び本考案を貼り付けた時の成品概念図である。図のように、本考案を作製する時、被覆層２を離型紙４に貼り付け、その後、当該被覆層２の表面に対して、回文字に半断切りを行ってから、巻取り、また、当該被覆層２に、複数の貫通孔部２２を形成し、そして、隣り合う貫通孔部同士の間に、連接部２３が形成され（図３のように）、その後、静電糸３を導線治具５で被覆層２の一面にある粘着面２１に貼り付け、これにより、静電糸３が連接部２３に貼り付けられて、横方向に貫通孔部２２に設置され、そして、ローラ５１で押え合い（図４のように）、押え合ってから当該被覆層２を適当なサイズに裁断し（図５のように）、そして、裁断された静電糸３を有する被覆層２を、導電フィルムやアルミ箔テープの底層１に貼り付け（図６のように）、また、ダイズに位置付け、貫通孔部２２の中央と当該連接部２３の両端を裁断して（図７のように）、連接部２３の両側に静電糸３がある半成品が形成され（図８のように）、そして、当該半成品を検査してから、必要に応じて、連接部２３を中央を裁断することにより二つに切り分け、これにより、当該連接部２３は一側だけに静電糸３があり、そして、もう一つの離型紙４ａに貼り付けると、成品が構成され（図９のように）、また、使用する時、当該一側に静電糸３がある連接部２３を、離型紙４ａから剥離して手で持って直接に使用するか、当該連接部２３を、それを必要とする電子機器や手持ち器具に結合して使用し、これにより、本考案は、作製と使用が容易である効果が実現される。
【００１３】
上記の説明のように、本考案に係わる静電糸装置構造は、有効的に従来の欠点を改善でき、複数の、横方向に被覆層の貫通孔部に設置された静電糸により、当該静電糸が、容易に、それを必要とする電子機器や手持ち器具に設置され、また、作製と使用が容易である効果が得られ、そのため、本考案は、より進歩的且つより実用的であるため、法に従って、実用新案登録請求を出願する。
【００１４】
以上は、ただ、本考案のより良い実施例であり、本考案は、それによって制限されることがなく、また、本考案の実用新案登録請求の範囲や明細書に基づいて行った等価の変更や修正は、全てが、本考案の実用新案登録請求の範囲内に含まれる。
【図面の簡単な説明】
【００１５】
【図１】本考案の立体外観概念図
【図２】本考案の立体分解概念図
【図３】本考案の被覆層の成形状態概念図
【図４】本考案の被覆層と静電糸とを貼り付ける時の概念図
【図５】本考案の被覆層と静電糸とを貼り付けて裁断する時の概念図
【図６】本考案の被覆層と底層とを貼り付ける時の概念図
【図７】本考案の裁断状態概念図
【図８】本考案の裁断した後の半成品の概念図
【図９】本考案を貼り付けた時の成品概念図
【符号の説明】
【００１６】
１        底層
２        被覆層
２１      粘着面
２２      貫通孔部
２３      連接部
３        静電糸
４、４ａ  離型紙
５        導線治具
５１      ローラ
【図１】
0003129631.tif 000003
【図２】
0003129631.tif 000004
【図３】
0003129631.tif 000005
【図４】
0003129631.tif 000006
【図５】
0003129631.tif 000007
【図６】
0003129631.tif 000008
【図７】
0003129631.tif 000009
【図８】
0003129631.tif 000010
【図９】
0003129631.tif 000011